(57)【要約】  本発明は、レンジフード、レンジフードの洗浄装置及びその制御方法を開示する。当該装置は、オンの時に洗浄液を吸引する水ポンプと、水ポンプに接続される加熱アセンブリと、加熱アセンブリに対応して設けられ、加熱アセンブリの温度を検出する温度センサと、加熱アセンブリに接続されるノズルと、水ポンプ、加熱アセンブリ及び温度センサにそれぞれ接続される制御モジュールであって、レンジフードの洗浄プロセスが起動されると、加熱するように加熱アセンブリを制御し、加熱アセンブリの温度が初めて第１の所定温度に達した後、各洗浄サイクルで、第１の所定時間だけオンになり、且つ第２の所定時間だけオフになるように水ポンプを制御する制御モジュールと、を含み、水ポンプがオンになると、洗浄液が加熱アセンブリ内に吸引されて加熱されることで高温高圧の気液混合物が生成され、その気液混合物がノズルから噴出されてレンジフードを洗浄する。本発明に係る装置は、レンジフードの洗浄効果を向上させることができる。
2019535986.tif 000002
【特許請求の範囲】
【請求項１】
オンの時に洗浄液を吸引する水ポンプと、
前記水ポンプに接続される加熱アセンブリと、
前記加熱アセンブリに対応して設けられ、前記加熱アセンブリの温度を検出する温度センサと、
前記加熱アセンブリに接続されるノズルと、
前記水ポンプ、前記加熱アセンブリ及び前記温度センサにそれぞれ接続される制御モジュールであって、レンジフードの洗浄プロセスが起動されると、加熱するように前記加熱アセンブリを制御し、前記加熱アセンブリの温度が初めて第１の所定温度に達した後、各洗浄サイクルで第１の所定時間だけオンになり、且つ第２の所定時間だけオフになるように前記水ポンプを制御する制御モジュールと、
を含み、
前記水ポンプがオンになると、前記洗浄液が前記加熱アセンブリ内に吸引されて加熱されることで高温高圧の気液混合物が生成され、前記気液混合物が前記ノズルから噴出されて前記レンジフードを洗浄する、ことを特徴とするレンジフードの洗浄装置。
【請求項２】
前記加熱アセンブリは、貯液室と、前記貯液室に対応して設けられる加熱素子と、を含み、前記貯液室の入口が前記水ポンプに接続され、前記貯液室の出口が前記ノズルに接続される、ことを特徴とする請求項１に記載のレンジフードの洗浄装置。
【請求項３】
前記制御モジュールは、
前記第１の所定時間、前記第２の所定時間及び前記洗浄プロセスの継続時間を計時するタイマーと、
前記加熱素子及び前記水ポンプにそれぞれ接続される電源ユニットと、
を含み、
前記電源ユニットは、前記加熱素子に給電することにより、加熱をオンにするように前記加熱素子を制御し、且つ、前記水ポンプに給電したり給電を停止したりすることにより、オン又はオフになるように前記水ポンプを制御する、ことを特徴とする請求項２に記載のレンジフードの洗浄装置。
【請求項４】
前記水ポンプと前記貯液室の入口との間に設けられ、前記貯液室内の圧力が圧力閾値より大きい場合に圧力を解放する圧力リリーフバルブをさらに含む、ことを特徴とする請求項３に記載のレンジフードの洗浄装置。
【請求項５】
前記第１の所定温度は、１２０〜１６０℃である、ことを特徴とする請求項１〜４のいずれか一項に記載のレンジフードの洗浄装置。
【請求項６】
前記第１の所定時間は、１〜３ｓであり、前記第２の所定時間は、３〜８ｓであり、前記洗浄プロセスの継続時間は、４〜１２ｍｉｎである、ことを特徴とする請求項５に記載のレンジフードの洗浄装置。
【請求項７】
レンジフードであって、
請求項１〜６のいずれか一項に記載のレンジフードの洗浄装置を含む、ことを特徴とするレンジフード。
【請求項８】
レンジフードの洗浄装置の制御方法であって、
前記洗浄装置は、水ポンプと、加熱アセンブリと、温度センサと、ノズルと、を含み、前記水ポンプは、オンの時に洗浄液を吸引し、前記加熱アセンブリは、前記水ポンプに接続され、前記温度センサは、前記加熱アセンブリに対応して設けられ、前記温度センサは、前記加熱アセンブリの温度を検出し、前記ノズルは、前記加熱アセンブリに接続され、
前記制御方法は、
レンジフードの洗浄プロセスが起動されると、加熱するように前記加熱アセンブリを制御するステップと、
前記加熱アセンブリの温度が初めて第１の所定温度に達した後、各洗浄サイクルで第１の所定時間だけオンになり、且つ第２の所定時間だけオフになるように前記水ポンプを制御し、前記水ポンプがオンになると、前記洗浄液が前記加熱アセンブリ内に吸引されて加熱されることで高温高圧の気液混合物が生成され、前記気液混合物が前記ノズルから噴出されて前記レンジフードを洗浄するステップと、
を含む、ことを特徴とするレンジフードの洗浄装置の制御方法。
【請求項９】
前記第１の所定温度は、１２０〜１６０℃である、ことを特徴とする請求項８に記載のレンジフードの洗浄装置の制御方法。
【請求項１０】
前記第１の所定時間は、１〜３ｓであり、前記第２の所定時間は、３〜８ｓであり、前記洗浄プロセスの継続時間は、４〜１２ｍｉｎである、ことを特徴とする請求項９に記載のレンジフードの洗浄装置の制御方法。
【請求項１１】
コンピュータプログラムが記憶されている非一時的なコンピュータ読み取り可能な記憶媒体であって、
前記コンピュータプログラムがプロセッサにより実行される場合に、請求項８〜１０のいずれか一項に記載のレンジフードの洗浄装置の制御方法を実現する、ことを特徴とする非一時的なコンピュータ読み取り可能な記憶媒体。
【発明の詳細な説明】
【技術分野】
【０００１】
本発明は、家電製品の技術分野に関し、特に、レンジフードの洗浄装置、レンジフード、レンジフードの洗浄装置の制御方法及び非一時的なコンピュータ読み取り可能な記憶媒体に関する。
【背景技術】
【０００２】
レンジフードは、長時間作動の後、その内部に油汚れが益々多くなってきており、その機能の低下（例えば、騒音の増大、風量の減少、消費電力の増大など）を引き起こすとともに、その内部に細菌及びカビのコロニーが生成しやすいため、レンジフードは、作動してから一定時間後に洗浄する必要がある。
【０００３】
現在、市販されているレンジフードの洗浄方法は、主に、熱湯洗浄や蒸気洗浄などがある。熱湯洗浄は、温度が低いため、油汚れの洗浄効果がよくないと同時に、熱湯洗浄は、加熱プロセスにおいて水に相変化がなく、体積の変化が微小であり、衝撃力は水ポンプから提供される大流量だけに頼って、洗浄の圧力が比較的小さい。蒸気洗浄は、蒸気が一定の距離まで噴射された後、膨張仕事の作用で温度の低下が速やかになり、一方では、ノズルと洗浄表面の距離が近いことが要求され、他方では、洗浄の温度が依然として比較的高いレベルに維持し難い。そのため、現在上記洗浄方法のレンジフードに対する洗浄効果は、向上の余地がある。
【発明の概要】
【発明が解決しようとする課題】
【０００４】
本発明は、関連技術における少なくとも一つの技術的課題をある程度で解決することを目的とする。そのため、本発明は、洗浄の圧力が比較的大きいだけではなく、洗浄の温度も比較的高く、減衰が緩やかで、レンジフードの洗浄効果を大きく向上させることができるレンジフードの洗浄装置を提供することを第１の目的とする。
【０００５】
本発明は、レンジフードを提供することを第２の目的とする。
【０００６】
本発明は、レンジフードの洗浄装置の制御方法を提供することを第３の目的とする。
【０００７】
本発明は、非一時的なコンピュータ読み取り可能な記憶媒体を提供することを第４の目的とする。
【課題を解決するための手段】
【０００８】
上記目的を達成するために、本発明の第１態様の実施例により提供されるレンジフードの洗浄装置は、オンの時に洗浄液を吸引する水ポンプと、前記水ポンプに接続される加熱アセンブリと、前記加熱アセンブリに対応して設けられ、前記加熱アセンブリの温度を検出する温度センサと、前記加熱アセンブリに接続されるノズルと、前記水ポンプ、前記加熱アセンブリ及び前記温度センサにそれぞれ接続される制御モジュールであって、レンジフードの洗浄プロセスが起動されると、加熱するように前記加熱アセンブリを制御し、前記加熱アセンブリの温度が初めて第１の所定温度に達した後、各洗浄サイクルで、第１の所定時間だけオンになり、且つ第２の所定時間だけオフになるように前記水ポンプを制御する制御モジュールと、を含み、前記水ポンプがオンになると、前記洗浄液が前記加熱アセンブリ内に吸引されて加熱されることで高温高圧の気液混合物が生成され、前記気液混合物が前記ノズルから噴出されて前記レンジフードを洗浄する。
【０００９】
本発明の実施例に係るレンジフードの洗浄装置は、制御モジュールが、水ポンプ、加熱アセンブリ及び温度センサにそれぞれ接続され、制御モジュールは、レンジフードの洗浄プロセスが起動されると、加熱するように加熱アセンブリを制御し、加熱アセンブリの温度が初めて第１の所定温度に達した後、各洗浄サイクルで、第１の所定時間だけオンになり、第２の所定時間だけオフになるように水ポンプを制御し、水ポンプがオンになると、洗浄液が加熱アセンブリ内に吸引されて加熱されることで高温高圧の気液混合物を生成し、気液混合物は、ノズルから噴出されてレンジフードを洗浄する。これにより、洗浄の圧力が比較的大きいだけではなく、洗浄の温度も比較的高く、減衰が緩やかで、レンジフードの洗浄効果を大きく向上させることができる。
【００１０】
なお、本発明の上記実施例により提供されるレンジフードの洗浄装置は、さらに、以下のような付加的な技術的特徴を有してもよい。
【００１１】
さらに、前記加熱アセンブリは、貯液室と、前記貯液室に対応して設けられる加熱素子と、を含み、前記貯液室の入口が前記水ポンプに接続され、前記貯液室の出口が前記ノズルに接続される。
【００１２】
さらに、前記制御モジュールは、前記第１の所定時間、前記第２の所定時間及び前記洗浄プロセスの継続時間を計時するタイマーと、前記加熱素子及び前記水ポンプにそれぞれ接続される電源ユニットと、を含み、前記電源ユニットは、前記加熱素子に給電することにより、加熱をオンにするように前記加熱素子を制御し、且つ、前記水ポンプに給電したり給電を停止したりすることにより、オン又はオフになるように前記水ポンプを制御する。
【００１３】
さらに、前記レンジフードの洗浄装置は、前記水ポンプと前記貯液室の入口との間に設けられ、前記貯液室内の圧力が圧力閾値より大きい場合に圧力を解放する圧力リリーフバルブをさらに含む。
【００１４】
前記第１の所定温度は、１２０〜１６０℃である。
【００１５】
前記第１の所定時間は、１〜３ｓであり、前記第２の所定時間は、３〜８ｓであり、前記洗浄プロセスの継続時間は、４〜１２ｍｉｎである。
【００１６】
上記目的を達成するために、本発明の第２態様の実施例により提供されるレンジフードは、本発明の第１態様の実施例により提供されるレンジフードの洗浄装置を含む。
【００１７】
本発明の実施例に係るレンジフードは、その洗浄装置が、洗浄の圧力が比較的高いだけではなく、洗浄の温度も比較的高く、減衰が緩やかで、洗浄効果が好ましい。
【００１８】
上記目的を達成するために、本発明の第３態様の実施例によりレンジフードの洗浄装置の制御方法が提供される。前記洗浄装置は、水ポンプと、加熱アセンブリと、温度センサと、ノズルと、を含み、前記水ポンプは、オンの時に洗浄液を吸引し、前記加熱アセンブリは、前記水ポンプに接続され、前記温度センサは、前記加熱アセンブリに対応して設けられ、前記温度センサは、前記加熱アセンブリの温度を検出し、前記ノズルは、前記加熱アセンブリに接続され、前記制御方法は、レンジフードの洗浄プロセスが起動されると、加熱するように前記加熱アセンブリを制御するステップと、前記加熱アセンブリの温度が初めて第１の所定温度に達した後、各洗浄サイクルで、第１の所定時間だけオンになり、第２の所定時間だけオフになるように前記水ポンプを制御し、前記水ポンプがオンになると、前記洗浄液が前記加熱アセンブリ内に吸引されて加熱されることで高温高圧の気液混合物が生成され、前記気液混合物が前記ノズルから噴出されて前記レンジフードを洗浄するステップと、を含む。
【００１９】
本発明の実施例に係るレンジフードの洗浄装置の制御方法は、レンジフードの洗浄プロセスが起動されると、加熱するように加熱アセンブリを制御し、加熱アセンブリの温度が初めて第１の所定温度に達した後、各洗浄サイクルで、第１の所定時間だけオンになり、第２の所定時間だけオフになるように水ポンプを制御し、水ポンプがオンになると、洗浄液が加熱アセンブリ内に吸引されて加熱されることで高温高圧の気液混合物が生成され、気液混合物がノズルから噴出されてレンジフードを洗浄し、これにより、洗浄の圧力が比較的大きいだけではなく、洗浄の温度も比較的高く、減衰が緩やかで、レンジフードの洗浄効果を大きく向上させることができる。
【００２０】
なお、本発明の上記実施例により提供されるレンジフードの洗浄装置の制御方法は、さらに、以下のような付加的な技術的特徴を有してもよい。
【００２１】
前記第１の所定温度は、１２０〜１６０℃である。
【００２２】
前記第１の所定時間は、１〜３ｓであり、前記第２の所定時間は、３〜８ｓであり、前記洗浄プロセスの継続時間は、４〜１２ｍｉｎである。
【００２３】
上記目的を達成するために、本発明の第４態様の実施例により提供される非一時的なコンピュータ読み取り可能な記憶媒体には、コンピュータプログラムが記憶され、当該コンピュータプログラムがプロセッサにより実行される場合に、本発明の第３態様の実施例により提供されるレンジフードの洗浄装置の制御方法を実現する。
【００２４】
本発明の実施例に係る非一時的なコンピュータ読み取り可能な記憶媒体は、記憶されたコンピュータプログラムを実行することにより、レンジフードの洗浄効果を大きく向上させることができる。
【図面の簡単な説明】
【００２５】
【図１】本発明の実施例に係るレンジフードの洗浄装置のブロック概略図である。
【図２】本発明の一実施例に係るレンジフードの洗浄装置の構造概略図である。
【図３】本発明の一実施例に係るレンジフードの洗浄装置の構造略図である。
【図４】本発明の一実施例に係るレンジフードの洗浄装置の制御グラフ図である。
【図５】本発明の実施例に係るレンジフードの洗浄装置の制御方法のフローチャートである。
【発明を実施するための形態】
【００２６】
以下、本発明の実施例を詳細に説明する。前記実施例における例が図面に示され、同一又は類似する符号は、常に同一又は類似する部品、又は、同一又は類似する機能を有する部品を表す。図面を参照しながら以下に説明される実施例は、例示的なものであって、本発明を解説するためのものであり、本発明がこれに限定されるものと理解すべきではない。
【００２７】
以下、図面を参照して、本発明の実施例のレンジフード、レンジフードの洗浄装置及びその制御方法について説明する。
【００２８】
図１は、本発明の実施例に係るレンジフードの洗浄装置のブロック概略図である。
【００２９】
図１に示すように、本発明の実施例のレンジフードの洗浄装置は、水ポンプ１００と、加熱アセンブリ２００と、温度センサ３００と、ノズル４００と、制御モジュール５００と、を含む。
【００３０】
水ポンプ１００は、オンの時に洗浄液を吸引し、加熱アセンブリ２００は、水ポンプ１００に接続され、温度センサ３００は、加熱アセンブリ２００に対応して設けられ、温度センサ３００は、加熱アセンブリ２００の温度を検出し、ノズル４００は、加熱アセンブリ２００に接続され、制御モジュール５００は、水ポンプ１００、加熱アセンブリ２００及び温度センサ３００にそれぞれ接続され、制御モジュール５００は、レンジフードの洗浄プロセスが起動されると、加熱するように加熱アセンブリ２００を制御し、加熱アセンブリ２００の温度が初めて第１の所定温度に達した後、各洗浄サイクルで、第１の所定時間だけオンになり、第２の所定時間だけオフになるように水ポンプ１００を制御し、水ポンプ１００がオンになると、洗浄液が加熱アセンブリ２００内に吸引されて加熱されることで高温高圧の気液混合物が生成され、気液混合物がノズル４００から噴出されてレンジフードを洗浄する。
【００３１】
図２に示すように、本発明の実施例の洗浄装置は、さらに、ウォーターボトル６００を含んでもよく、ウォーターボトル６００は、洗浄液を備蓄するためのものであり、例えば、水、油汚れの分解剤又は水と油汚れの分解剤との混合液などである。図３に示すように、水ポンプ１００の入口は、第１水管０１を介してウォーターボトル６００に接続されてもよく、水ポンプ１００がオンになる場合に、ウォーターボトル６００から洗浄液を吸引する。
【００３２】
図２及び図３に示すように、加熱アセンブリ２００は、貯液室２１０と、貯液室２１０に対応して設けられる加熱素子２２０と、を含んでもよく、貯液室２１０の入口は、第２水管０２を介して水ポンプ１００に接続され、貯液室２１０の出口は、第３水管０３を介してジョイント２１１に接続されて、ノズル４００との接続を便利にする。
【００３３】
図２に示すように、本発明の実施例の洗浄装置は、さらに、圧力リリーフバルブ7００を含んでもよく、圧力リリーフバルブ7００は、水ポンプ１００と貯液室２１０の入口との間に設けられ、貯液室２１０内の圧力が圧力閾値より大きい場合に圧力の解放をオンにする。本発明の一つの具体的な実施例において、圧力リリーフバルブ7００は、水ポンプ１００内又は水ポンプ１００の出口に集積して設けられてもよい。
【００３４】
図３に示すように、制御モジュール５００は、制御基板に設けられてもよく、制御モジュール５００は、第１電源コード０４を介して水ポンプ１００に接続され、第２電源コード０５を介して加熱アセンブリ２００に接続されて、水ポンプ１００及び加熱アセンブリ２００に給電する。制御モジュール５００は、さらに、導線０６を介して温度センサ３００に接続されて、温度センサ３００に給電し、温度センサ３００により検出された温度を受信する。
【００３５】
本発明の一実施例において、制御モジュール５００は、タイマーと、電源ユニットと、を含んでもよい。タイマーは、第１の所定時間、第２の所定時間及び洗浄プロセスの継続時間を計時する。電源ユニットは、加熱素子２２０と、水ポンプ１００とにそれぞれ接続され、電源ユニットは、加熱素子２２０に給電することにより、加熱をオンにするように加熱素子を制御し、且つ、水ポンプ１００に給電したり給電を停止したりすることにより、オン又はオフになるように水ポンプ１００を制御する。
【００３６】
具体的には、レンジフードの洗浄プロセスが起動されると、制御モジュール５００における電源ユニットは、加熱素子２２０に給電してオンになるように加熱素子２２０を制御し、貯液室２１０を加熱する。図４に示すように、洗浄プロセスの全体において、加熱素子２２０は、継続的に作動する。
【００３７】
温度センサ３００は、加熱素子２２０又は貯液室２１０の温度を検出することができる。図４に示すように、加熱素子２２０がオンになった後、温度センサ３００により検出される加熱アセンブリ２００の温度は、継続的に上昇し、加熱アセンブリ２００の温度が初めて第１の所定温度、即ち温度ｔ点に達する場合に、制御モジュール５００における電源ユニットは、水ポンプ１００に給電することができ、オンになるように水ポンプ１００を制御して、洗浄液を吸引して貯液室２１０に圧送する。加熱アセンブリ２００の温度が第１の所定温度に達し、即ち貯液室２１０の温度が比較的高いため、洗浄液が貯液室２１０に圧送される場合に、瞬間に気化し、瞬間に膨張することができ、高圧蒸気及び高温液体の洗浄液、即ち気液混合物を生成する。図２に示すように、ノズル４００は、複数の噴孔４１０を含み、高圧蒸気及び高温液体の洗浄液は、高圧力により押し出され、複数の噴孔４１０を介してレンジフード内の洗浄する必要のある位置に噴射される。高温液体の洗浄液が運んだ熱量は、蒸気の噴射プロセスにおける熱損失を低減することができ、蒸気の衝撃力、即ち洗浄の圧力が比較的大きく、気液混合物によりレンジフードに対する効果的な洗浄を実現することができる。図４に示すように、洗浄の圧力、即ち貯液室２１０の圧力は、洗浄液の瞬間受熱に伴って増大し、気液混合物の噴出に伴って減少する。第１の所定温度は、洗浄液が貯液室２１０に圧送されるとき、瞬間に気化し、瞬間に膨張して、高圧蒸気及び高温液体の洗浄液を生成するような温度であり、本発明の一つの具体的な実施例において、第１の所定温度は、１２０〜１６０℃である。
【００３８】
なお、洗浄液が絶え間なく入るにつれて、貯液室２１０の温度は、洗浄液の吸熱に伴って低減される。即ち図４に示すように、水ポンプ１００がオンになってしばらくした後、加熱アセンブリ２００の温度は、下降傾向にある。加熱アセンブリ２００の温度が比較的低い場合に、洗浄の圧力は、洗浄の要求を満たし難いおそれがある。そのため、本発明の実施例において、水ポンプ１００の作動時間がタイマーにより計時され、第１の所定時間Ｔ１に達する場合に、オフになるように水ポンプ１００を制御することができ、加熱アセンブリ２００の温度を再び上昇させる。水ポンプ１００のオフ状態の維持が、タイマーにより計時され、第２の所定時間Ｔ２に達した後、再びオンになるように水ポンプ１００を制御することができ、洗浄の圧力を再び増大させて高圧蒸気及び高温液体の洗浄液をレンジフード内の洗浄する必要のある位置に噴射し、レンジフードの洗浄を実現する。
【００３９】
さらに、図４に示すように、加熱アセンブリ２００の温度が初めて第１の所定温度に達してから洗浄プロセスが終了するまでの時間帯Ｔは、複数の洗浄サイクルを含むことができ、各洗浄サイクルを第１の所定時間Ｔ１と第２の所定時間Ｔ２とに分割し、第１の所定時間Ｔ１に、オンになるように水ポンプ１００を制御し、第２の所定時間Ｔ２に、オフになるように水ポンプ１００を制御することができる。つまり、第１の所定時間Ｔ１にわたってオンになり、第２の所定時間Ｔ２にわたってオフになるように水ポンプ１００を制御する上記プロセスをループ実行することができ、レンジフードに対するパルス洗浄を実現する。本発明の一つの具体的な実施例において、第１の所定時間は、１〜３ｓであり、第２の所定時間は、３〜８ｓであり、洗浄プロセスの継続時間は、４〜１２ｍｉｎである。洗浄プロセス全体は、２０〜１６０個洗浄サイクルを含むことができ、即ち洗浄プロセス全体において、パルス洗浄を２０〜１６０回行うことができる。
【００４０】
本発明の他の実施例において、さらに、加熱アセンブリ２００の温度が第１の所定温度に達するごとに、オンになるように水ポンプ１００を制御し、水ポンプ１００の作動時間が第１の所定時間に達するとき、オフになるように水ポンプ１００を制御することができる。このようにすることで、第２の所定時間を計時する必要がなく、加熱アセンブリ２００の温度及び第１の所定時間に基づいて洗浄サイクルを決定することができる。
【００４１】
本発明の実施例に係るレンジフードの洗浄装置は、制御モジュールが、水ポンプ、加熱アセンブリ及び温度センサにそれぞれ接続され、制御モジュールが、レンジフードの洗浄プロセスが起動されると、加熱するように加熱アセンブリを制御し、加熱アセンブリの温度が初めて第１の所定温度に達した後、各洗浄サイクル内に、第１の所定時間にわたってオンになり、第２の所定時間にわたってオフになるように水ポンプを制御し、水ポンプがオンになると、洗浄液が加熱アセンブリ内に吸引されて加熱されることで高温高圧の気液混合物が生成され、気液混合物がノズルから噴出されてレンジフードを洗浄する。これにより、洗浄の圧力が比較的大きいだけではなく、洗浄の温度も比較的高く、減衰が緩やかで、レンジフードの洗浄効果を大きく向上させることができる。
【００４２】
上記実施例に対応して、本発明は、レンジフードをさらに提供する。
【００４３】
本発明の実施例のレンジフードは、本発明の上記実施例により提供されるレンジフードの洗浄装置を含み、その具体的な実施方法は、上記実施例を参照することができ、冗長性を避けるために、ここでは詳しく説明しない。
【００４４】
本発明の実施例に係るレンジフードは、その洗浄装置が、洗浄の圧力が比較的高いだけではなく、洗浄の温度も比較的高く、減衰が緩やかで、洗浄効果が好ましい。
【００４５】
上記実施例に対応して、本発明は、レンジフードの洗浄装置の制御方法をさらに提供する。
【００４６】
上記実施例及び図１〜図３を参照して、本発明の実施例の洗浄装置は、水ポンプと、加熱アセンブリと、温度センサと、ノズルと、を含み、水ポンプは、オンの時に洗浄液を吸引し、加熱アセンブリは、水ポンプに接続され、温度センサは、加熱アセンブリに対応して設けられ、温度センサは、加熱アセンブリの温度を検出し、ノズルは、加熱アセンブリに接続される。
【００４７】
図５に示すように、本発明の実施例のレンジフードの洗浄装置の制御方法は、以下のステップを含む。
【００４８】
レンジフードの洗浄プロセスが起動されると、加熱するように加熱アセンブリを制御するステップＳ１。
【００４９】
加熱アセンブリの温度が初めて第１の所定温度に達した後、各洗浄サイクル内に、第１の所定時間にわたってオンになり、第２の所定時間にわたってオフになるように水ポンプを制御し、水ポンプがオンになると、洗浄液が加熱アセンブリ内に吸引されて加熱されることで高温高圧の気液混合物が生成され、気液混合物がノズルから噴出されてレンジフードを洗浄するステップＳ２。
【００５０】
本発明の一実施例において、加熱アセンブリは、貯液室と、貯液室に対応して設けられる加熱素子と、を含み、貯液室の入口が水ポンプに接続され、貯液室の出口がノズルに接続される。
【００５１】
具体的には、レンジフードの洗浄プロセスが起動されると、加熱素子に給電してオンになるように加熱素子を制御し、貯液室を加熱することができる。図４に示すように、洗浄プロセスの全体において、加熱素子は、継続的に作動する。
【００５２】
温度センサは、加熱素子又は貯液室の温度を検出することができる。図４に示すように、加熱素子がオンになった後、温度センサにより検出される加熱アセンブリの温度は、継続的に上昇し、加熱アセンブリの温度が初めて第１の所定温度、即ち温度ｔ点に達する場合に、水ポンプに給電することができ、オンになるように水ポンプを制御して、洗浄液を吸引して貯液室に圧送する。加熱アセンブリの温度が第１の所定温度に達し、即ち貯液室の温度が比較的高いため、洗浄液が貯液室に圧送されるとき、瞬間に気化し、瞬間に膨張することができ、高圧蒸気及び高温液体の洗浄液、即ち気液混合物を生成する。図２に示すように、ノズルは、複数の噴孔を含み、高圧蒸気及び高温液体の洗浄液は、高圧力により押し出され、複数の噴孔を介してレンジフード内の洗浄する必要のある位置に噴射される。高温液体の洗浄液が運んだ熱量は、蒸気の噴射プロセスにおける熱損失を低減することができ、蒸気の衝撃力、即ち洗浄の圧力が比較的大きく、気液混合物によりレンジフードに対する効果的な洗浄を実現することができる。図４に示すように、洗浄の圧力、即ち貯液室の圧力は、洗浄液の瞬間受熱に伴って増大し、気液混合物の噴出に伴って減少する。第１の所定温度は、洗浄液が貯液室に圧送されるとき、瞬間に気化し、瞬間に膨張して、高圧蒸気及び高温液体の洗浄液を生成するような温度であり、本発明の一つの具体的な実施例において、第１の所定温度は、１２０〜１６０℃である。
【００５３】
なお、洗浄液が絶え間なく入るにつれて、貯液室の温度は、洗浄液の吸熱に伴って低減される。即ち図４に示すように、水ポンプがオンになってしばらくした後、加熱アセンブリの温度は、下降傾向にある。加熱アセンブリの温度が比較的低い場合に、洗浄の圧力は、洗浄の要求を満たし難いおそれがある。そのため、本発明の実施例において、水ポンプの作動時間が第１の所定時間Ｔ１に達する場合に、オフになるように水ポンプを制御することができ、加熱アセンブリの温度を再び上昇させる。水ポンプのオフ状態の維持が第２の所定時間Ｔ２に達した後、再びオンになるように水ポンプを制御することができ、洗浄の圧力を再び増大させて高圧蒸気及び高温液体の洗浄液をレンジフード内の洗浄する必要のある位置に噴射し、レンジフードの洗浄を実現する。
【００５４】
さらに、図４に示すように、加熱アセンブリの温度が初めて第１の所定温度に達してから洗浄プロセスが終了するまでの時間帯Ｔは、複数の洗浄サイクルを含むことができ、各洗浄サイクルを第１の所定時間Ｔ１と第２の所定時間Ｔ２とに分割し、第１の所定時間Ｔ１に、オンになるように水ポンプを制御し、第２の所定時間Ｔ２に、オフになるように水ポンプを制御することができる。つまり、第１の所定時間Ｔ１にわたってオンになり、第２の所定時間Ｔ２にわたってオフになるように水ポンプを制御する上記プロセスをループ実行することができ、レンジフードに対するパルス洗浄を実現する。本発明の一つの具体的な実施例において、第１の所定時間は、１〜３ｓであり、第２の所定時間は、３〜８ｓであり、洗浄プロセスの継続時間は、４〜１２ｍｉｎである。洗浄プロセス全体は、２０〜１６０個の洗浄サイクルを含むことができ、即ち洗浄プロセス全体において、パルス洗浄を２０〜１６０回行うことができる。
【００５５】
本発明の他の実施例において、さらに、加熱アセンブリの温度が第１の所定温度に達するごとに、オンになるように水ポンプを制御し、水ポンプの作動時間が第１の所定時間に達するとき、オフになるように水ポンプを制御することができる。このようにすることで、第２の所定時間を計時する必要がなく、加熱アセンブリの温度及び第１の所定時間に基づいて洗浄サイクルを決定することができる。
【００５６】
本発明の実施例に係るレンジフードの洗浄装置の制御方法は、レンジフードの洗浄プロセスが起動されると、加熱するように加熱アセンブリを制御し、加熱アセンブリの温度が初めて第１の所定温度に達した後、各洗浄サイクル内に、第１の所定時間にわたってオンになり、第２の所定時間にわたってオフになるように水ポンプを制御し、水ポンプがオンになると、洗浄液が加熱アセンブリ内に吸引されて加熱されることで高温高圧の気液混合物が生成され、気液混合物がノズルから噴出されてレンジフードを洗浄し、これにより、洗浄の圧力が比較的大きいだけではなく、洗浄の温度も比較的高く、減衰が緩やかで、レンジフードの洗浄効果を大きく向上させることができる。
【００５７】
上記実施例に対応して、本発明は、非一時的なコンピュータ読み取り可能な記憶媒体をさらに提供する。
【００５８】
本発明の実施例の非一時的なコンピュータ読み取り可能な記憶媒体には、コンピュータプログラムが記憶され、当該コンピュータプログラムが、プロセッサにより実行される場合に、本発明の上記実施例により提供されるレンジフードの洗浄装置の制御方法を実現することができる。
【００５９】
本発明の実施例に係る非一時的なコンピュータ読み取り可能な記憶媒体は、記憶されたコンピュータプログラムを実行することにより、レンジフードの洗浄効果を大きく向上させることができる。
【００６０】
なお、本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはいけない。
【００６１】
なお、「第１」、「第２」の用語は、単に目的を説明するためのものであり、比較的な重要性を指示又は暗示するか、又は示された技術的特徴の数を黙示的に指示すると理解してはいけない。よって、「第１」、「第２」と限定されている特徴は少なくとも一つの前記特徴を含むことを明示又は暗示するものである。本発明の説明において、明確且つ具体的な限定がない限り、「複数」とは、二つ以上を意味する。
【００６２】
本発明において、明確な規定と限定がない限り、「取り付ける」、「互いに接続する」、「接続する」、「固定する」などの用語の意味は広義に理解されるべきである。例えば、固定接続や、着脱可能な接続や、又は一体的な接続でも可能である。机械的な接続や、電気的な接続も可能である。直接的に接続することや、中間媒体を介して間接的に接続することや、二つの部品の内部が連通することや、あるいは二つの部品の間に相互の作用関係があることも可能である。当業者であれば、具体的な場合に応じて上記用語の本発明においての具体的な意味を理解することができる。
【００６３】
本発明において、明確な規定と限定がない限り、第１特徴が第２特徴の「上」又は「下」にあることは、第１特徴と第２特徴とが直接的に接触することを含んでも良いし、又は第１特徴と第２特徴とが中間媒体を介して間接に接触することを含んでもよい。また、第１特徴が第２特徴の「上」、「上方」又は「以上」にあることは、第１特徴が第２特徴の真上又は斜め上にあることを含むか、又は、単に第１特徴の水平高さが第２特徴より高いことだけを表す。第１特徴が第２特徴の「下」、「下方」又は「以下」にあることは、第１特徴が第２特徴の真下又は斜め下にあることを含むか、又は、単に第１特徴の水平高さが第２特徴より低いことだけを表す。
【００６４】
本発明の説明において、「一実施例」、「一部の実施例」、「例」、「具体的な例」、又は「一部の例」などの用語を参照した説明は、該実施例又は例に合わせて説明された具体的な特徴、構成、材料又は特性が、本発明の少なくとも一つの実施例又は例に含まれることを意味する。本明細書において、上記用語に対する例示的な説明は、必ずしも同じ実施例又は例を指すことではない。また、説明された具体的な特徴、構成、材料又は特性は、いずれか一つ又は複数の実施形態又は例において適切に結合することができる。なお、互いに矛盾しない限り、当業者は、本明細書に説明された異なる実施例又は例、及び異なる実施例又は例の特徴を結合し、組み合わせることができる。
【００６５】
以上に、本発明の実施例を示して説明したが、上記実施例は、例示的なものであり、本発明を限定するものと理解すべきでない。当業者であれば、本発明の範囲内で上記実施例に対して変更、修正、置換及び変形を行うことができるであろう。
【符号の説明】
【００６６】
１００  水ポンプ
２００  加熱アセンブリ
３００  温度センサ
４００  ノズル
５００  制御モジュール
【図１】
2019535986.tif 000003
【図２】
2019535986.tif 000004
【図３】
2019535986.tif 000005
【図４】
2019535986.tif 000006
【図５】
2019535986.tif 000007
【国際調査報告】
2019535986.tif 000008
2019535986.tif 000009
2019535986.tif 000010
2019535986.tif 000011
2019535986.tif 000012
2019535986.tif 000013